(57)【要約】      （修正有）【課題】換気扇のオン／オフ操作や換気扇動作の設定操作において、操作性を向上させた換気扇スイッチを提供する。【解決手段】換気扇スイッチは、換気扇の動作を制御する回路が形成されたプリント基板を収納し埋込配線器具用の取付枠に取付可能な器体２と、器体２の表面に設けられた操作スイッチおよび設定操作スイッチ６と、操作スイッチを裏面で押動する操作ハンドル１０とを備える。操作ハンドル１０は、設定操作スイッチ６を操作可能な操作孔１１ａを有し、器体２の前面に回転自在に取着されるハンドル本体１１と、操作孔１１ａを開閉自在に覆うハンドルカバー１３とで構成される。設定操作スイッチ６は、器体２の前面に露出する回転ツマミ７を押下操作する毎に、回転ツマミ７が器体２の内側方向へ後退した収納状態と、収納状態と比べて突出した突出状態とを交互に切替える機構を有している。【選択図】図１
2010055844.tif 000002
【特許請求の範囲】
【請求項１】
機械式の操作スイッチが前面に設けられた器体と、器体の前面を覆うようにして器体に取付けられ、前面が押されると裏面で操作スイッチを押動する操作ハンドルとを備え、器体には換気扇への電源供給を入切する開閉素子と、操作スイッチの操作に応じて開閉素子を開閉させる開閉制御手段と、器体の前面において操作スイッチとは異なる位置に設定操作子が露出するように設置された設定操作スイッチと、設定操作子の設定操作に応じて開閉制御手段の動作を設定する設定手段とを収納し、操作ハンドルは設定操作子を外部から操作可能とする操作孔を有するハンドル本体と、ハンドル本体の前面側でハンドル本体に保持されて操作孔を開閉可能なハンドルカバーとで構成されており、設定操作スイッチは、設定操作子が前面から押下操作される毎に、設定操作子を器体の内側方向へ後退させた収納状態と、収納状態と比べて設定操作子を前方に突出させた突出状態とを、交互に切替える機構を有することを特徴とする換気扇スイッチ。
【請求項２】
ハンドルカバーの裏面であってハンドルカバーを閉じた際に設定操作子と対向する部位に、前記設定操作子を押下するための突起を設けたことを特徴とする請求項１記載の換気扇スイッチ。
【発明の詳細な説明】
【技術分野】
【０００１】
本発明は、換気扇スイッチに関するものである。
【背景技術】
【０００２】
従来より、浴室やトイレに配設される換気扇のオン／オフを切替えるためのスイッチとして、換気扇のオン／オフを切替える操作スイッチと、換気扇の動作（例えば運転時間など）を切替えるための設定操作子とを備えるスイッチがある（例えば、特許文献１）。
【０００３】
この種のスイッチは、ＪＩＳ規格で規格化された大角形連用配線器具の取付枠に取付可能な形状をしており、換気扇のオン／オフを切替えるための操作スイッチおよび設定操作子の操作性が重要視されている。
【０００４】
特許文献１に開示されるスイッチは、大角形連用配線器具の取付枠に３個まで取付けることができる単位寸法（１個モジュール寸法）の２個分の寸法（２個モジュール寸法）に器体が形成されている。
【０００５】
この器体前面上側には、設定操作子が露出して設置されている。また、器体の前面下側には操作スイッチが配設され、操作スイッチを覆うようにして略１個モジュール寸法に形成された操作ハンドルが取付けられており、操作ハンドルを操作することによって換気扇をオン／オフするものである。
【０００６】
高い操作性を提供するスイッチとしては、利用頻度が低い設定操作子を操作ハンドルで覆うことにより、操作ハンドルの操作性を高めた、特許文献２に開示されるようなスイッチもある。
【０００７】
このスイッチは、２個モジュール寸法に形成された器体の前面を覆うようにして器体に保持され、操作スイッチを操作する操作ハンドルを備えている。
【０００８】
操作ハンドルは、器体表面に配設された設定操作子を操作するための操作孔を有するハンドル本体と、操作孔を開閉可能なハンドルカバーによって構成されており、利用頻度の低い設定操作子はハンドルカバーを閉じることによって隠れる構造となっている。
【０００９】
また、ハンドルカバーを閉じることによって、操作ハンドルの大きさを２個モジュール寸法の大きさとすることが出来るので、高い操作性を実現している。
【特許文献１】特開２００１−２２７８０４号公報
【特許文献２】特開２００５−１７４８８０号公報
【発明の開示】
【発明が解決しようとする課題】
【００１０】
しかしながら、特許文献１に開示された換気扇スイッチにおいては、操作頻度が低く普段はあまり使用しない動作設定スイッチが器体の前面側で露出されているので、操作ハンドルの大きさを大きくしようとしても、操作ハンドルの大きさが設定操作子の大きさによって制約を受け、操作スイッチの操作性を高めるのには限界があった。
【００１１】
また、特許文献２に開示されたスイッチにおいては、設定操作子は操作ハンドルのハンドルカバーによって隠れる必要があるため、ハンドルカバーの厚みによって設定操作子の高さが制限され、操作性が低い。
【００１２】
ここで、設定操作子の操作性を高めようとして操作ハンドルの厚みを増すと、壁に設置したときに不用意に接触してしまう可能性が高いことや、他のスイッチとデザインの統一性がとれないという問題があった。
【００１３】
本発明は、上記事由に鑑みて為されたものであり、その目的とするところは、換気扇のオン／オフ操作や換気扇動作の設定操作において、その操作性を向上させた換気扇スイッチを提供することにある。
【課題を解決するための手段】
【００１４】
上記目的を達成するために、請求項１の発明では、機械式の操作スイッチが前面に設けられた器体と、器体の前面を覆うようにして器体に取付けられ、前面が押されると裏面で操作スイッチを押動する操作ハンドルとを備え、器体には換気扇への電源供給を入切する開閉素子と、操作スイッチの操作に応じて開閉素子を開閉させる開閉制御手段と、器体の前面において操作スイッチとは異なる位置に設定操作子が露出するように設置された設定操作スイッチと、設定操作子の設定操作に応じて開閉制御手段の動作を設定する設定手段とを収納し、操作ハンドルは設定操作子を外部から操作可能とする操作孔を有するハンドル本体と、ハンドル本体の前面側でハンドル本体に保持されて操作孔を開閉可能なハンドルカバーとで構成されており、設定操作スイッチは、設定操作子が前面から押下操作される毎に、設定操作子を器体の内側方向へ後退させた収納状態と、収納状態と比べて設定操作子を前方に突出させた突出状態とを、交互に切替える機構を有することを特徴とする。
【００１５】
請求項２の発明では、請求項１記載の発明において、ハンドルカバーの裏面であってハンドルカバーを閉じた際に設定操作子と対向する部位に、前記設定操作子を押下するための突起を設けたことを特徴とする。
【発明の効果】
【００１６】
請求項１の発明によれば、操作孔が開放されるようにハンドルカバーを開き設定操作子を押下することで、設定操作子が収納状態よりも前面へ突出した突出状態となるので、設定操作子のつまみ代が大きくなって設定操作子を容易に操作することができる。
【００１７】
また再度、設定操作子を押下することで、設定操作子が突出状態から器体の内側方向へ後退し、器体前面の出代が突出状態と比べて小さくなるので操作ハンドルの厚みを薄くすることができ、不用意に接触して操作される可能性を低減して、本スイッチと並設される他のスイッチと外観を統一することもできる。
【００１８】
このように、操作スイッチの操作性および、設定操作子の操作性の高い換気扇用スイッチを提供することが出来る。
【００１９】
請求項２の発明によれば、ハンドルカバーを閉じることによって、設定操作子が突出した突出状態であっても、ハンドルカバー裏面の突起によって設定操作子が押されて、収納状態に後退するから、設定操作子を収納状態に押す手間をなくして、操作性を向上した換気扇スイッチを提供出来る。
【発明を実施するための最良の形態】
【００２０】
以下に本発明の実施の形態を図面に基づいて説明する。
【００２１】
（実施の形態１）
図１（ａ）は本発明の実施の形態１にかかる換気扇スイッチを示す斜視図であり、図１（ｂ）は同換気扇スイッチの要部を示す概略断面図である。図２は同換気扇スイッチの動作設定を行う状態を示す斜視図である。図３は同換気扇スイッチの分解斜視図である。図４は同換気扇スイッチの内部回路を示す概略回路図である。
【００２２】
本実施の形態の換気扇スイッチは、図４のブロック回路図に示す回路を形成したプリント基板（図示せず）を収納した器体２と、器体２の前面を覆うように器体２に保持され操作スイッチ５を操作する操作ハンドル１０とを備える。
【００２３】
図４のブロック回路図に示されるように、本実施の形態の換気扇スイッチは、換気扇３２と商用電源３１との直列回路が接続される一対の接続端子２９ａ、２９ｂを備えるとともに、例えばマイクロコンピュータからなり換気扇３２の運転時間をカウントするタイマ（図示せず）を具備して回路全体の制御を行う制御回路２１と、接続端子２９ａ、２９ｂ間に接続されたトライアックのような開閉素子２２と、制御回路２１から入力される制御信号に応じて開閉素子２２をオン／オフさせることで換気扇３２への電源供給を入切する開閉駆動部２３と、換気扇３２の動作時間を設定する動作設定部２５と、制御回路２１や開閉駆動部２３に電源を供給する電源回路２７とを主要な構成として備える。ここに、制御回路２１と開閉駆動部２３とで開閉制御手段が構成される。
【００２４】
制御回路２１は、換気扇３２の停止中に操作スイッチ５からの操作入力があると、開閉駆動部２３に制御信号を出力し、開閉素子２２をオンさせることによって換気扇３２を運転させる。また制御回路２１は、換気扇３２の運転時間をカウントするタイマ（図示せず）を備えており、タイマのカウント値が動作設定部２５によって設定された値（遅れ停止時間）に達すると、タイマのカウント値をリセットするとともに、開閉駆動部２３に制御信号を出力して開閉素子２２をオフさせることによって換気扇３２を停止させる。
【００２５】
動作設定部２５は、ロータリスイッチからなる設定操作スイッチ６を有し、設定操作スイッチ６の設定位置に応じて、操作スイッチ５を操作時に換気扇３２を動作させてから、換気扇３２を停止されるまでの遅れ停止時間を設定することが出来る。
【００２６】
接続端子２９ａ、２９ｂには、ダイオードブリッジからなる全波整流器２８の交流接続端子がそれぞれ接続されている。また、全波整流器２８の直流接続端子間には、電源回路２７が接続されている。電源回路２７は限流素子である抵抗器（図示せず）を有し、全波整流器２８を介して供給される電流によって充電されるコンデンサのような充電要素（図示せず）を備え、充電要素の充電電圧が動作電圧として制御回路２１や開閉駆動部２３に供給される。
【００２７】
換気扇３２の停止時は、制御回路２１が開閉駆動部２３に開制御信号を出力して、開閉素子２２をオフさせており、換気扇３２への電源供給を停止する。また電源回路２７は全波整流器２８を介して供給される充電電流によって所定電圧値まで充電され、この充電電圧が制御回路２１および開閉駆動部２３に供給される。なお、開閉素子２２のオフ時は、電源回路２７のインピーダンスが、接続端子２９ａ、２９ｂ間に流れる電流によって換気扇３２が動作しないような高インピーダンスに設定されている。
【００２８】
ここで、換気扇３２の停止中に操作スイッチ５からの操作入力を制御回路２１が受けると、制御回路２１は開閉素子２２を開極させた状態で、電源回路２７のコンデンサを急速に充電させる。電源回路２７のコンデンサが規定の電圧まで充電されると、制御回路２１は、開閉駆動部２３に閉制御信号を出力して、開閉素子２２をオンさせる。開閉素子２２は負荷電流がゼロクロスするまでオン状態を継続し、この間に換気扇３２に電源が供給され、換気扇３２は運転状態となる。
【００２９】
次に負荷電流のゼロクロス点で開閉素子２２がオフすると、制御回路２１は電源回路２７のコンデンサを急速に充電させる。電源回路２７の充電電圧が規定の電圧に達すると、制御回路２１は、開閉駆動部２３を用いて負荷電流が再度ゼロクロスするまで、開閉素子２２をオンさせて換気扇３２に電源を供給する。
【００３０】
以上の動作を、制御回路２１が有するタイマのカウント値が設定回路２５で設定された設定値以下である間、制御回路２１が繰り返し行うことによって、電源回路２７が規定の電圧に充電されて、制御回路２１及び開閉駆動部２３に電源が供給されるとともに、換気扇３２に電源が供給されて換気扇３２は運転状態を継続する。
【００３１】
このように、電源回路２７では換気扇３２の停止時には接続端子２９ａ、２９ｂを介して流れる換気扇３２の洩れ電流から動作電源を生成し、換気扇３２の運転時には商用電源３１のゼロクロス点から開閉素子２２がオンするまでに、接続端子２９ａ、２９ｂを介して供給される電力を電源として動作電源を生成しているので、一対の接続端子２９ａ、２９ｂ間に商用電源３１と換気扇３２との直列回路を接続することが可能になり、一般的なスイッチと同様の結線方法で配線することができる。したがって、一般的なスイッチと同様に配線設計を行うことができ、既設のスイッチに置き換えて換気扇スイッチを施工する作業を容易に行うことができる。
【００３２】
次に本実施形態の換気扇スイッチの構造を、図１〜図３に基づいて説明する。
【００３３】
換気扇スイッチ１の器体２は直方体状であって、合成樹脂により前面が開口した略箱状に形成されたボディ３と、合成樹脂により後面が開口した略箱状に形成されて、ボディ３の開口部に被着されるカバー４とで形成されている。すなわち、カバー４の上下面の後端縁からは後方に向かって各一対の組立片４ａが延設され、組立片４ａに設けた組立孔４ｂがボディ３の上下両面に形成してある組立突起３ａに係合することによって、ボディ３とカバー４とが結合されている。
【００３４】
器体２は、ＪＩＳ規格で規格化された大角形連用配線器具用の従来周知の取付枠４１に取付可能である。器体２の左右方向の寸法は取付枠４１が備える窓孔４１ａの左右方向寸法（短手方向寸法）と略等しい寸法に形成されており、器体２の上下方向の寸法は取付枠４１に３個まで取付けることができる単位寸法（１個モジュール寸法）の２個分の寸法（２個モジュール寸法）と略等しい寸法に形成されている。
【００３５】
器体２の前部を形成するカバー４の左右両側面には、取付枠４１の窓孔を囲む左右両側片に設けた器具取付孔４１ｂに係合可能な取付爪４ｃが一対ずつ突設してあり、取付爪４ｃが器具取付孔４１ｂに係合することによって、器体２が取付枠４１に保持される。
【００３６】
器体２を取付枠４１に取り付ける際には、カバー４の左側壁に設けた取付爪４ｃを取付枠４１の器具取付孔４１ｂに挿入するとともに、右側壁に設けた取付爪４ｃをカバー４の側面から後退させるようにして取付枠４１の窓孔４１ａに器体２を挿入すれば、右側壁の取付爪４ｃが器具取付孔４１ｂに挿入されて器体２が取付枠４１に保持される。
【００３７】
取付枠４１は壁面などの造営面に取り付けられ、器体２の後部は造営面に開口する取付穴に埋設される。また取付枠４１の前面側には、取付枠４１の窓孔４１ａよりも長寸かつ幅広の窓孔４２ａを備える化粧プレート４２が重ね合わせて配置され、この化粧プレート４２の窓孔４２ａから換気扇スイッチ１の機能面が露出するようになっている。
【００３８】
また、化粧プレート４２の窓孔４２ａのうち、取付枠４１の窓孔４１ａに２個モジュール寸法の器体を取り付けたことによって出来た１個モジュール寸法の孔に対応する部位にブランクカバー４３が取付けられ、取付枠４１の窓枠４１ａの１個モジュール寸法の孔を隠すことが出来る。
【００３９】
器体２の内部には、上述した図４の回路を構成する回路部品や、外部電線を接続するための端子２９ａ、２９ｂなどを実装したプリント配線板（図示せず）が収納されている。プリント配線板に実装される端子２９ａ、２９ｂは、ボディ３の後壁に形成された電線挿入孔（図示せず）を通して器体２内に挿入される外部電線を、導電性を有する板ばねからなる鎖錠ばねのばね力によって接続保持する速結端子（図示せず）で構成してある。また鎖錠ばねを押圧して電線の鎖錠状態を解除するための解除釦（図示せず）も器体２内に収納されており、ボディ３の後壁には解除釦を操作するための操作孔（図示せず）が電線挿入孔の近傍に形成してある。
【００４０】
カバー４の前面には、動作設定部２５に設けた設定操作スイッチ６の設定操作子である回転ツマミ７がカバー４に開口した窓孔４ｄを通して露出されているとともに、タクトスイッチからなる操作スイッチ５の押釦９がカバー４に開口した窓孔（図示せず）を通して露出している。なお、回転ツマミ７と操作スイッチ５の押釦９とは、カバー４前面の左右方向略中央に上下に並べて配置されている。回転ツマミ７を露出させる窓孔４ｄの周部には、回転ツマミ７の切換位置を示す文字および数字（例えば「連続」、「５分」…）が印刷などによって記載された銘板を、貼着などの方法で取着してもよい。
【００４１】
設定操作スイッチ６は、複数の切替位置を有するロータリスイッチからなり、回転ツマミ７の回転位置に応じて遅れ停止時間が切り換えられるようになっている。
【００４２】
またカバー４前面の左側端部には、操作ハンドル１０を枢着するための軸部４ｅが設けられており、この軸部にハンドル本体１１後面の左端部に設けた軸受部（図示しない）を枢支させることで、操作ハンドル１０が器体２に対して回動自在に取着される。軸受部には操作ハンドル１０を反操作方向に付勢するための付勢ばね（図示せず）を設けてあり、操作ハンドル１０は左回りに付勢されている。これにより、操作ハンドル１０の右側部に押力が加わると、操作ハンドル１０が軸部４ｅを支点に回動し、操作ハンドル１０の後面に設けた押突起（図示せず）によって操作スイッチ５の押釦９が押されて、操作スイッチ５がオンになる。一方、操作ハンドル１０の右側部を押す力が無くなると、操作ハンドル１０は付勢ばねや操作スイッチ５の押釦９の反力を受けて復帰位置に戻り、操作スイッチ５がオフになる。
【００４３】
操作ハンドル１０は合成樹脂により矩形板状に形成されたハンドル本体１１と、ハンドル本体１１の前面左側に取付けられるカバー部１２と、合成樹脂により矩形板状に形成されハンドル本体１１の前面に開閉自在に取付けられたハンドルカバー１３によって構成されている。
【００４４】
ハンドル本体１１は、左右方向の寸法が化粧プレート４２の窓孔４２ａの左右方向（短手方向）寸法と略同じ寸法に形成され、上下方向の寸法が窓孔４２ａの上下方向（長手方向）寸法の略３分の２の寸法に形成されている。また、ハンドル本体１１には、回転ツマミ７を露出させる操作孔１１ａが貫設されている。
【００４５】
またハンドル本体１１には、回転ツマミ７が露出する操作孔１１ａを開閉自在に覆うハンドルカバー１３が取着されている。ハンドルカバー１３は左右方向及び上下方向の寸法が、それぞれ、ハンドル本体１１の左右方向及び上下方向の寸法と略同じ寸法に形成されている。そして、このハンドルカバー１３の左側部の上下両端部からは側方に向かって突出する一対のアーム１３ａ、１３ａが突設され、各アーム１３ａの先端部には、ハンドル本体１１の上下両面に設けた軸穴１１ｂに枢支される軸１３ｂが突設されている。各アーム１３ａの軸１３ｂをハンドル本体１１の軸穴１１ｂに枢支させることで、ハンドルカバー１３が操作孔１１ａを露出させる状態と、操作孔１１ａを覆う状態とを選択自在としてハンドル本体１１の前面に取付られている。
【００４６】
なおハンドルカバー１３は、ハンドル本体１１の前面右側に保持させた鉄片１４を、ハンドルカバー１３の裏面に取付けた永久磁石１５の磁力で吸着することによって、閉じた状態を保持するようになっており、ハンドル本体１１とハンドルカバー１３とで、操作ハンドル１０を構成している。
【００４７】
ここで、ハンドルカバー１３を開けた状態では、操作ハンドル１１の操作孔１１ａを通じて回転ツマミ７が露出するので、換気扇３２の運転時間の設定ができる。また、ハンドルカバー１３を閉じた状態では、回転ツマミ７がハンドルカバー１３によって覆われて不用意に回転ツマミ７を操作されてしまうことを防止できるとともに、操作スイッチ５を操作することができるので換気扇３２を運転状態とすることが出来る。
【００４８】
また、設定操作スイッチ６は回転ツマミ７と一体として、回転ツマミ７を器体２の内側方向に押下して離すことで、回転ツマミ７が器体２の内側方向へ後退した収納状態と、収納状態よりも前方に突出した突出状態とが交互に切替えられる切替機構を有している（図１（ｂ）参照）。
【００４９】
切替機構は周知の技術によって構成されており、回転ツマミ７が器体２の内側方向へ後退した収納状態では、ハンドルカバー１３を閉じた場合にハンドルカバー１３の裏面と回転ツマミ７が接触しない高さになるように設定されている。また、突出状態においては、収納状態よりも前方へ突出しており、器体２の前面からの出代が大きくなっているので、回転ツマミ７の操作が容易に行うことができる。
【００５０】
このように、操作ハンドル１１の厚みによらず、換気扇３２の動作を設定する設定操作時であって回転ツマミ７の突出時において、設定操作の操作性を向上させることができ、収納状態においてはハンドルカバー１３を閉じることで２個モジュール寸法の広い操作領域を確保した高い操作性で、操作スイッチ５を操作することができる。
【００５１】
なお、本実施の形態においては設定操作スイッチ６にはロータリスイッチを用いているが、タイマ動作に関わる設定が行える操作素子であればよく、ロータリ式の可変抵抗器やスライド式の可変抵抗器であってもよい。
【００５２】
また、本実施の形態においては設定操作に応じて一定時間換気扇を動作させる換気扇スイッチを用いているが、例えば換気扇フィルタの交換時間を表示する機能を備えた換気扇スイッチにおいて、設定操作に応じてフィルタ交換の時期を設定するような換気扇スイッチであってもよい。
【００５３】
（実施の形態２）
図５は実施の形態２にかかる換気扇スイッチの要部を示す正面図である。
【００５４】
実施の形態１では、器体前面に操作スイッチ５の押釦９を露出させ操作ハンドル１０の裏面で直接押釦９を押しているが、本実施の形態では、操作スイッチ５を器体２の内部に収納するとともに、押釦９に対向する部位にヒンジ部８を設けている。このヒンジ部８は、周囲にスリットを形成することでＴ字状に形成されて、自由端となる幅広部分の操作部８ａが押されることで、器体２の内側方向にたわみ、ヒンジ部８の裏面で押釦９を押圧するようになっている。この点を除いては、実施の形態１と同様であるので共通する構成要素には同一の符号を付してその説明は省略する。
【００５５】
また、実施の形態１では、操作スイッチ５の押釦９が操作ハンドル１０の上下方向略中央に配置されているので、操作ハンドルの上端や下端が押下された場合には、操作ハンドル１０がカバー４の左側端の軸部４ｅを支点として器体２に対して斜めに傾斜し、操作スイッチ５の押釦９を確実に押せない可能性があった。
【００５６】
本実施の形態の換気扇スイッチでは、押釦９と対向する部位に、器体２の上下方向に伸びた操作部８ａを有するヒンジ部８を備えており、操作ハンドル１０の上端もしくは下端を押された場合にも、操作ハンドル１０の裏面に設けられた突起で操作部８ａの上下方向寸法は押釦９に比べて大きくなっているので、操作部８ａを確実に押下させることができる。操作部８ａが押されることによって、ヒンジ部８は、器体２の内側方向に向かって器体２の左右方向にたわむので、押釦９を押すことができ、操作スイッチ５を確実にオン状態とさせることができる。
【００５７】
このように、換気扇のオン／オフ操作および換気扇動作の設定操作において、さらにその操作性を向上させた換気扇スイッチを提供することができる。
【００５８】
（実施の形態３）
図６は実施の形態３にかかる換気扇スイッチを示す斜視図である。図７は同換気扇スイッチの要部を示す断面図である。
【００５９】
図６に示すように、操作ハンドル１０のハンドルカバー１３の裏面であって、器体２の表面に設けられた設定操作スイッチ６と対向する部位に、ハンドルカバー１３を閉じた時に設定操作スイッチ６を押すように設けられた突起部１３ａを有する。この点を除いては、実施の形態１と同様であるので共通する構成要素には同一の符号を付してその説明は省略する。
【００６０】
本実施の形態においては、ハンドルカバー１３を開けた後、回転ツマミ７が収納状態に比べて器体２の前面から突出した突出状態である場合に、ハンドルカバー１３を閉じるとハンドルカバー１３の裏面に設けられた突起部１３ａによって回転ツマミ７が押下され、回転ツマミ７が器体の内側方向へと後退した収納状態となって、ハンドルカバー１３を閉じることが出来る。
【００６１】
このように、回転ツマミ７を突出状態にして、遅れ停止時間の設定操作を行った後に、回転ツマミを直接操作しなくても、ハンドルカバー１３を閉じるだけで回転ツマミ７を収納して、操作ハンドル１０を形成することができるので、操作性の高い換気扇スイッチを提供することが出来る。
【図面の簡単な説明】
【００６２】
【図１】（ａ）は本発明の実施の形態１にかかる換気扇スイッチを示す斜視図であり、（ｂ）は同換気扇スイッチの要部を示す概略断面図である。
【図２】同換気扇スイッチの動作設定を行う状態を示す斜視図である。
【図３】同換気扇スイッチの分解斜視図である。
【図４】同換気扇スイッチの内部回路を示す概略回路図である。
【図５】本発明の実施の形態２にかかる換気扇スイッチの要部を示す正面図である。
【図６】本発明の実施の形態３にかかる換気扇スイッチの斜視図である。
【図７】同換気扇スイッチの要部を示す概略断面図である。
【符号の説明】
【００６３】
１      換気扇スイッチ
２      器体
３      ボディー
４      カバー
５      操作スイッチ
６      設定操作スイッチ
７      回転ツマミ
１０    操作ハンドル
１１    ハンドル本体
１１ａ    操作孔
１３    ハンドルカバー
２１    制御回路（開閉制御手段）
２２    開閉素子
２３    開閉駆動部（開閉制御手段）
２５    動作設定部（設定手段）
【図１】
2010055844.tif 000003
【図２】
2010055844.tif 000004
【図３】
2010055844.tif 000005
【図４】
2010055844.tif 000006
【図５】
2010055844.tif 000007
【図６】
2010055844.tif 000008
【図７】
2010055844.tif 000009